(57)【特許請求の範囲】
【請求項１】
爪に装着する装飾品の本体と、前記装飾品の本体の裏面に固定されたある程度の厚みを有し、且つ弾性変形可能なグミ状の弾性層と、前記弾性層に固定され、弾性層より高い粘着性を有する粘着層とから成り、前記弾性層と粘着層は主成分が同じであり、
前記装飾品の本体は付け爪であり、
前記粘着層は、平成２３年１０月１１日時点で株式会社レヂテックスの製品番号「Ａ−６００１Ｌ」として提供されていたアクリル系樹脂で構成され、
前記弾性層は、平成２３年１０月１１日時点で株式会社レヂテックスの製品番号「Ａ−６００１Ｌ」として提供されていたアクリル系樹脂に、平成２３年１０月１１日時点で株式会社レヂテックスの製品番号「ＳＢ−１２７８」として提供されていた合成ゴムを９８質量％：２質量％の割合で配合したもので構成されていることを特徴とする爪に着脱自在に装着する装飾品。
【発明の詳細な説明】
【技術分野】
【０００１】
本発明は付け爪等の爪に着脱自在に装着する装飾品に関するものである。
【背景技術】
【０００２】
爪に装着する装飾品の代表的なものとしては付け爪があり、付け爪のサイズ、形状は数種類程度のものが準備されている。
ところが、人の爪のサイズ、形状は千差万別であり、数種類程度のサイズ等に到底おさまるものではない。このため、付け爪についてはサイズ等がぴったりのものを選択することは殆ど不可能である。
この付け爪を爪に固定するためには、例えば特許文献１に記載された付け爪用両面粘着テープを用いることが多く、両面粘着テープを付け爪と爪の間に介装して、その粘着力により付け爪を爪に固定している。この場合、付け爪は着脱して繰り返し使用できる。
また、強力な接着剤によって付け爪を爪に対し強固に接着してしまう場合もある。
【先行技術文献】
【特許文献】
【０００３】
【特許文献１】特開２００４−２０９０６２号公報
【発明の概要】
【発明が解決しようとする課題】
【０００４】
しかしながら、上記したように付け爪のサイズ等がぴったりのものを選択することは殆ど不可能であり、これを薄い合成樹脂製のシートから成る両面粘着テープを用いて付け爪を爪に固定しているため、爪と付け爪とのサイズ等の違いによって生じた隙間を埋めることはできない。従って、付け爪が爪から外れ易いという問題がある。
また、強力な接着剤を用いて付け爪を爪に接着してしまうと、付け爪を外す場合には付け爪を壊すことになり、再使用できないという問題がある。
なお、通常、付け爪はネイルサロン等において、ネイリストによって装着してもらうものであり、装着者自らが装着することは殆どできない。
【０００５】
本発明は上記従来の問題点に着目して為されたものであり、付け爪等の爪に装着する装飾品を爪に対し強固に固定することができ、しかも装飾品を壊すことなく外すことができて再使用することが可能で、しかも装着者自らが着脱可能な爪に着脱自在に装着する装飾品の提供を、その目的とする。
【課題を解決するための手段】
【０００６】
本発明は上記課題を解決するためになされたものであり、請求項１の発明は、爪に装着する装飾品の本体と、前記装飾品の本体の裏面に固定されたある程度の厚みを有し、且つ弾性変形可能なグミ状の弾性層と、前記弾性層に固定され、弾性層より高い粘着性を有する粘着層とから成り、前記弾性層と粘着層は主成分が同じであり、前記装飾品の本体は付け爪であり、前記粘着層は、平成２３年１０月１１日時点で株式会社レヂテックスの製品番号「Ａ−６００１Ｌ」として提供されていたアクリル系樹脂で構成され、前記弾性層は、平成２３年１０月１１日時点で株式会社レヂテックスの製品番号「Ａ−６００１Ｌ」として提供されていたアクリル系樹脂に、平成２３年１０月１１日時点で株式会社レヂテックスの製品番号「ＳＢ−１２７８」として提供されていた合成ゴムを９８質量％：２質量％の割合で配合したもので構成されていることを特徴とする爪に着脱自在に装着する装飾品である。
【発明の効果】
【０００９】
本発明の爪に着脱自在に装着する装飾品によれば、付け爪等の爪に装着する装飾品を強固に爪に対し固定することができる。しかも装飾品を壊すことなく外すことができて再使用することが可能となる。
また、本発明の爪に着脱自在に装着する装飾品は装着者自らが容易に着脱することが可能である。
【図面の簡単な説明】
【００１０】
【図１】本発明の実施の形態１に係る付け爪の装着方法を説明するための斜視図である。
【図２】本発明の実施の形態１に係る付け爪を爪に装着した状態を示す斜視図である。
【図３】図２の付け爪の装着状態を説明するための図である。
【図４】本発明の実施の形態２に係る爪用アクセサリーの装着方法を説明するための斜視図である。
【図５】本発明の実施の形態２に係る爪用アクセサリーを爪に装着した状態を示す斜視図である。
【発明を実施するための形態】
【００１１】
本発明の実施の形態１に係る爪に着脱自在に装着する装飾品としての付け爪１を図１から図３にしたがって説明する。
まず、付け爪１の構成について説明する。
符号３は付け爪１の本体を示し、この本体３は合成樹脂や金属等によって構成され、ある程度の硬度と可撓性を有している。また、本体３の表面にはペイント等による装飾５が施されている。
【００１２】
図３に詳細に示すように、本体３の裏面には弾性層７の表面が貼付されて固定されており、更に弾性層７の裏面には粘着層９が貼付され固定されている。
弾性層７はゴム様の弾性力があり、弾性変形可能であって、粘着力を有している。この弾性層７の厚さ寸法は０．３ｍｍ〜１．５ｍｍの範囲で設定される。
また、粘着層９は弾性層７より弾性力が小さいが、弾性層７より高い粘着性を有している。この粘着層９の厚さ寸法は０．１ｍｍ〜０．５ｍｍの範囲で設定される。
【００１３】
弾性層７と粘着層９は主成分が同じであり、いずれも主材としてアクリル系樹脂が用いられており、弾性層７はアクリル系樹脂に粘着剤としての合成ゴムを配合して弾性力を向上させており、また粘着層９には粘着剤が配合されて高い粘着力を発揮することができるようになっている。
弾性層７と粘着層９の成分は次の通りである。
粘着層９はアクリル系樹脂として株式会社レヂテックス（神奈川県厚木市）製の製品番号Ａ−６００１Ｌを用いる。
弾性層７はアクリル系樹脂として株式会社レヂテックス製の製品番号Ａ−６００１Ｌを９８質量％、合成ゴムとして株式会社レヂテックス製の製品番号ＳＢ−１２７８を２質量％の割合で配合して用いる。
弾性層７と粘着層９は両方とも主成分がアクリル系樹脂であり、強固に接着されることになる。
【００１４】
次に、この付け爪１の使用方法について説明する。
付け爪１を爪Ｎに強く押し付けて、粘着層９を爪Ｎに密着させる。これにより粘着層９が爪Ｎに対し粘着して、付け爪１が爪Ｎに固定される。この付け爪１はグミ状の弾性層７を有しているので、付け爪１のサイズ、形状と爪Ｎのサイズ、形状との違いが、弾性層７の変形によって吸収されることになる。従って、付け爪１を爪Ｎに対しぴったり装着でき、付け爪１と爪Ｎとの間に隙間がない状態となって、付け爪１を爪Ｎに対し強固に固定することができる。
前述のように粘着層９には粘着剤が配合されていて高い粘着力を発揮することができるようになっているので、水に短時間浸けた程度では、付け爪１が爪Ｎから剥離することはない。
【００１５】
付け爪１を爪Ｎから外す場合には、付け爪１を装着した指を水（または湯）に浸けて、水を粘着層９と爪Ｎとの間に侵入させる。これにより粘着層９の爪Ｎに対する粘着が弱められるので、付け爪１を持ってゆっくりと爪Ｎから剥がすようにする。このようにすれば、付け爪１を壊すことなく爪Ｎからは外すことが可能である。
粘着層９は表面の水分が無くなれば、粘着力が回復するので、付け爪１を再度爪Ｎに装着することができる。従って、付け爪１は再使用可能であり、経済的である。
付け爪１を何度も使用することによって、粘着層９の粘着力が低下した場合には復活剤を粘着層９に塗布すれば、粘着力を回復させることが可能である。
【００１６】
本発明の実施の形態２に係る爪に着脱自在に装着する装飾品としてのアクセサリー１１を図４、図５にしたがって説明する。
実施の形態２に係るアクセサリー１１は実施の形態１に係る付け爪１と同様の弾性層７、粘着層９を有しているので、弾性層７、粘着層９については実施の形態１と同じ符号を付して説明を省略する。
【００１７】
アクセサリー１１の本体１３はリボン様に形成され、合成樹脂によって構成されている。このアクセサリー１１の裏面には弾性層７が固定され、更に弾性層７の裏面には粘着層９が固定されている。
アクセサリー１１の使用方法は付け爪１と同様であるので、その説明を省略する。
【００１８】
以上、本発明の実施の形態について詳述してきたが、具体的構成は、この実施の形態に限られるものではなく、本発明の要旨を逸脱しない範囲における設計の変更などがあっても発明に含まれる。
例えば、実施の形態１に係る本体３の表面の装飾５はペイントに限らず、人工宝石等を配置して構成してもよい。
また、実施の形態２に係るアクセサリー１１の本体１３はリボン様の形状に限定されず、ハート形、花形等、どのような形態でもよく、更に構成材料も合成樹脂に限らず、金属等他の材料によって構成してもよい。
【産業上の利用可能性】
【００１９】
本発明の爪に着脱自在に装着する装飾品は、付け爪製造業において利用可能性を有する。
【符号の説明】
【００２０】
１…付け爪                        ３…（付け爪の）本体
５…装飾                          ７…弾性層
９…粘着層                        １１…アクセサリー
１３…（アクサリーの）本体          N…爪
【図１】
0005940273.tif 000002
【図２】
0005940273.tif 000003
【図３】
0005940273.tif 000004
【図４】
0005940273.tif 000005
【図５】
0005940273.tif 000006